(57)【要約】【課題】人が容易に保守点検が出来ない遠隔地で、確実に無線携帯端末が機能し、遠隔操作によりデータの回収が可能なデータ回収装置を提供することを目的とする。【解決手段】各種データを集積しているデータロガー１のデータをインターフェイス２を介し接続する無線携帯端末３により、データロガー１のデータをメインコンピュータに回収するデータ回収装置において、電源供給手段４により供給された電源により、無線携帯端末３を少なくとも１日当たり１時間以上保温手段５により保温しつつ、充電すること。【選択図】          図１
2004186785.tif 000002
【特許請求の範囲】
【請求項１】
各種データを集積しているデータロガーのデータをインターフェイスを介し接続する無線携帯端末により、データロガーのデータをメインコンピュータに回収するデータ回収装置において、少なくとも、回収指令信号を無線携帯端末に受信した時点から、一定時間、無線携帯端末近傍を保温手段により保温しつつ、充電することを特徴とするデータ回収装置。
【請求項２】
請求項１記載のデータ回収装置において、保温手段として、ソーラパネルにより得た電源を用い保温することを特徴とするデータ回収装置。
【請求項３】
寒冷地のデータ回収装置の使用において、常時５℃以下とならないようにソーラパネルにより得た電源を用い極寒地用温度保持手段を付加すると共に、最高温度をサーモスタットで制御することを特徴とする請求項１又は２記載の何れか記載のデータ回収装置。
【発明の詳細な説明】
【０００１】
【発明の属する技術分野】
本発明は、遠隔地等に設置し、各種無人機器等で取得したデータの情報処理を行うメインコンピュータに回収するためのデータ回収装置に関する。
【０００２】
【従来の技術】
遠隔地等に設置し、各種無人機器等で取得したデータは、通常データロガーに蓄積される。そして、このデータロガーに記録されたデータは、ロガーに挿入されているラムカードを回収することにより行われている。しかしながら、ロガーの設置される場所は、遠隔地が多く、かつ冬季の気象条件が厳しい時は、データの回収は困難の場合が多々あり、遠隔操作によりデータの回収技術が望まれていた。
【０００３】
【発明が解決しようとする課題】
上述したように、従来の遠隔操作によりデータの回収が望まれていたが、近年の無線携帯端末において、通信エリアが大幅に拡大し、更に無線携帯端末自体もデータ通信が可能である。そこで、データロガーのデータをこの無線携帯端末を利用しデータ回収装置に利用することが考えられる。
しかしながら、データロガーの設置される場所は、遠隔地が多く、かつ冬季の気象条件が厳しい状態での使用が多い。ところが、無線携帯端末を無人で使用する場合に問題となるのが無線携帯端末の充電作業ある。この充電作業は、一般家庭、或いは店舗等で行う場合には、通常の室温で行われ問題はないが、山奥等の僻地で充電作業を無人で行おうとすると、無線携帯端末は外気の状態をじかに受けることになる。このことは、特に寒冷地等低温となる地域での充電では、低温のため充電が思うようにいかない為、無線携帯端末のシステムが思うように機能しない場合がある。
本発明は、上述した事情に鑑み提案されたもので、人が容易に保守点検が出来ない遠隔地で、各種無人機器等で取得したデータの回収をしようとする際に、確実に無線携帯端末が機能し、遠隔操作によりデータの回収が可能なデータ回収装置を提供することを目的とする。
【０００４】
【課題を解決するための手段】
＜特徴点＞
本発明に係るデータ回収装置は、上述した目的を達成するため、以下の特徴点を備えている。
すなわち、本発明に係るデータ回収装置は、各種データを集積しているデータロガーのデータをインターフェイスを介し接続する無線携帯端末により、データロガーのデータをメインコンピュータに回収するデータ回収装置において、少なくとも、回収指令信号を無線携帯端末に受信した時点から、一定時間、無線携帯端末を保温手段により保温しつつ、充電することを特徴とする。
また、上記データ回収装置において、保温手段として、ソーラパネルにより得た電源を用い保温することが出来る。また、特に、寒冷地のデータ回収装置の使用において、無線携帯端末の電源部近傍を一定時間５℃以上の温度となるようにに、ソーラパネルにより得た電源を用い極寒地用温度保持手段を付加すると共に、最高温度をサーモスタットで制御することが好ましい。
【０００５】
＜作用＞
本発明に係るデータ回収装置では、各種データを集積しているデータロガーのデータをインターフェイスを介し接続する無線携帯端末により、データロガーのデータをメインコンピュータに回収するに際し、少なくとも、回収指令信号を無線携帯端末に受信した時点から、一定時間、無線携帯端末近傍を保温手段により保温しつつ、充電する構成である。この回収指令信号を無線携帯端末に受信した時点から無線携帯端末は動作を開始し、電力を消費するため、無線携帯端末の内蔵バッテリーの充電量が１００％から落ち充電を開始する。この時充電電流は、内蔵バッテリー充電の他、無線携帯端末は動作の為に使用される。無線携帯端末が電力不足に陥って動作不良となることを防止するように作用する。
また無線携帯端末は、適度の温度状態となっており、安定的な充電が行われるように作用する。
更に、適度の温度状態とする為の保温手段は、回収指令信号を無線携帯端末が受信した時点から行うことより、必要最小限の電力で済み効率的である。
また、上記データ回収装置において、保温手段として、ソーラパネルにより得た電源を用いることが出来、山奥等、遠隔地で他の電源を確保できないところで使用する機器等に有益である。
また、極寒地用温度保持手段を付加することで、寒冷地のデータ回収装置の使用において、無線携帯端末の動作時以外にも、充電が可能となり、充電不良による誤動作を防止するように作用する。
【０００６】
【発明の実施の形態】
以下、図面に示す具体的な実施の形態を参照して、本発明に係るデータ回収装置を説明する。
図１は、本発明に係る概略説明図であり、本発明の一実施の形態としては、各種データを集積しているデータロガー１とデータロガー１のデータをインターフェイス２を介し接続する無線携帯端末３、及び電源供給手段４、保温手段５及び極寒地用温度保持手段６とから構成される。
以下、これらについて順を追って説明する。
【０００７】
＜データロガー１＞
データロガー１は、各種データをメモリーとラムカードに蓄積し、必要に応じ出力する機器であり、一般に市販されているものを用いることが出来る。
そして、データロガー１は、例えば風速、風向等の各種データ信号をメモリーとラムカードに蓄積すると共に、データロガー１が、稼動後２分間以上何ら外部からの操作上の信号（データ信号からの信号は除く）が無い場合自動的にスリープ・モードに入り消費電力を少なくする機能を有することが望ましい。
そこで、本発明では、後述のインターフェイス２から操作上の信号に基づいて、データロガー１のメモリーとラムカードに蓄積されたデータ信号をインターフェイス２に出力する。
【０００８】
＜インターフェイス２＞
インターフェイス２は、主機能として後述する無線携帯端末３と、前記データロガー１を接続するモデムの機能と着信時の受話器を取り通話状態にする機能を兼ね備える機能を有している。ここで、インターフェイス２により無線携帯端末３の着信時信号を受けて、データロガー１のスリープ・モードを喚起し稼動状態にする信号を発信する。そして、インターフェイス２では、メモリーとラムカードに蓄積されたデータ信号を無線携帯端末３で送信するデータ形式に変換し、無線携帯端末３に送信する。
また、インターフェイス２に内蔵されているスイッチにより、無線携帯端末３が着信時の信号を受けて、ヒータ５０の接続をオンにする。
【０００９】
＜無線携帯端末３＞
無線携帯端末３は、通常の携帯電話、ＰＤＡ（Ｐｅｒｓｏｎａｌ  Ｄｉｇｉｔａｌ  Ａｓｓｉｓｔａｎｔｓ）等、双方向通信によりデータの送受信を行うことが可能な機種を用い、電話として通信機能の他、時間設定の機能を有することが好ましい。
この無線携帯端末３の通話可能時間は、一日の間で１乃至２時間に設定する。この設定は、無線携帯端末３自体に設定するか、或いはインターフェイス２内の回路を利用して設定しても良い。
【００１０】
＜電源供給手段４＞
電源供給手段４は、本発明に使用する電源を供給するためのもので、後述の保温手段５、極寒地用温度保持手段６の電源として用いられる。通常、隣接するところに電源を取れるところがあればそれを用いるが、この種の機器は遠隔地に設けている場合が多く、近くに電源がないことが通常であることより、本発明ではソーラパネルの電源を用いている。
具体的には、ソーラパネル４０により得た電源を、バッテリー４１に充電し、これを結線して電源とする構成である。そして、所定の電圧に変換し無線携帯端末を充電するために充電器４２が設けられている。
なお、図中ソーラパネル４３は、後述する極寒地用温度保持手段６の電源として用いられる。
【００１１】
＜保温手段５＞
保温手段５は、無線携帯端末の充電が可能な温度領域にする為のもので、無線携帯端末３が通信を行っていない状態の時は、ほとんど消費電力を必要としない。この為、本実施の形態例では、着信時の信号を受けて、ヒータ５０の接続をオンにすると共に、充電を開始する。これは、無線携帯端末３が、通信状態となることにより、電力の消費状態となることになるからであり、通常の無通電中のに比べ、電力の消費状態が大きいからである。この為、無線携帯端末の内蔵バッテリーの電位が低下し充電を開始する。この時充電電流は、内蔵バッテリー充電の他、無線携帯端末３の作動電流として流れ、無線携帯端末３を安定的な作動状態を得ることが出来、電力不足に陥って動作不良となることを防止する。
他方、ヒータ５０により無線携帯端末３の温度が上昇するにことより、効率的に無線携帯端末３のフル充電を行うことが出来る。この充電は、通常１時間程度で十分であることより、１時間程度、ヒータ５０の保温を行う。
また、本発明では、ヒータ５０を無線携帯端末３に近接した場所に設けて、より小電力化を図っているが、無線携帯端末３、ヒータ５０等を、電波を通し、かつ断熱性のある、例えば発泡スチロール製の容器７内に収納する構成とするとより効率的である。
【００１２】
＜極寒地用温度保持手段６＞
無線携帯端末３の充電機能は一般的には５℃以下で働かなくなる。従って、冬季或いは寒冷地では、無線携帯端末３の充電をする場合に保温する必要があることより、極寒地用温度保持手段６を無線携帯端末３に付設している。
極寒地用温度保持手段６の例としては、ソーラパネル４３の電源供給手段４からの電源を無線携帯端末３に近接した場所にヒーター６０とサーモスタット６１を設ける構成としている。
具体的には、寒さの厳しい寒冷地（北海道等）では、前記一時間程度の通電では不十分である。この為、ソーラパネル４３を新たに設け常時接続し保温する仕組みとし、長時間の充電を可能としている。ただ、冬季以外の時期で温度が上昇しすぎると、無線携帯端末３の管理上好ましくないので、環境温度最大値の８０℃を超えないようにサーモスタット６２で上限を制御する仕組みとしている。
【００１３】
本発明は上述のように構成し、具体的な動作状況を、図２のフローチャートに基づいて説明する。
図示しないメインコンピュータが、測定点の無線携帯端末３を呼び出す。
無線携帯端末３は、一日の一定時間（通常一時間の時刻の設定）電源オンとなるように携帯電話を設定し、その時間内に、受信の有無を判断する（ｓｔｅｐ１）。そして、受信信号を検知した場合には、無線携帯端末３が受信信号をインターフェイスに送る（ｓｔｅｐ２）。次いで、インターフェイス２によりデータロガー１を稼働状態とする（ｓｔｅｐ３）。次いで、データロガー１の稼働信号に基づきインターフェース３より、無線携帯端末３に受話器接続信号を発信する（ｓｔｅｐ４）。この信号により、受話器接続信号を発信し無線携帯端末３を通話状態となり（ｓｔｅｐ５）、無線携帯端末３とメインコンピュータは接続状態となりデータの送受信が可能となる。
そして、インターフェース２から、データロガー１のデータを無線携帯端末３を経由して、メインコンピュータに送信する（ｓｔｅｐ６）。
所定のデータをメインコンピュータに送信した後、メインコンピュータから切断の信号を無線携帯端末３に送り（ｓｔｅｐ７）、この信号に基づき、無線携帯端末３の接続をオフとし（ｓｔｅｐ８）、回路動作を終了する。
なお、データロガー１、インターフェイス２は、メインコンピュータから切断の信号に基づき、或いは上記データを送信後、一定時間経過後に稼働状態を停止させる。
【００１４】
図１に示すデータ回収装置の構成で、容器７に、保温手段５として、無線携帯端末３の近傍に設けているヒーター５０を、また、極寒地用温度保持手段６としてのヒーター６０とサーモスタット６１を設けた。
また、容器７内のヒーター５０、６０は、直接に無線携帯端末３を直接加熱しない位置に配置した。
なお、サーモスタット６１の上限設定温度は、７０℃に設定した。
この状態で、容器７内の温度上昇を測定した場合、容器７外の気温に比べ、保温手段５のみでは、約２０℃の温度上昇が得られ、通常使用する充電環境を得ることが出来た。
また、極寒地用温度保持手段６におけるヒーター６０を併用することで、容器内を約３０℃の温度上昇が得られ、我が国の通常の極寒地の室内等の温度は−１０℃弱程度であることより、充電可能な温度である５℃以上とするように制御可能である。
【００１５】
次に、図３は、サーモスタットで高温域の温度制御を行った場合の容器内の温度変化を測定するための概略説明図である。
ここで、例えば発泡スチロール製の容器７内に、１Ｗのヒーター６０を底部に収納し、ヒーター６０の上方にやや間隔をあけ無線携帯端末３を収納する構成である。そして、無線携帯端末３を挟んで温度センサー８０，８１を配置し、容器７内の温度を測定するもので、この状態で、ソーラパネル４３から、電力を供給し、ヒーター６０で、発熱させ、温度センサー８０，８１で温度変化を測定したものを図４に示した。
図４において、上側の曲線は、前記容器のヒーターに近接した側の温度センサー８０の測定点、下側の曲線は、容器の無線携帯端末３上方の温度センサー８１の測定点である。
この図からも判るように、サーモスタット６１の上限設定温度は、７０℃として、容器７内の温度分布は、容器上部側の温度センサー８１で、２８℃〜３６℃で、あるのに対し容器下部側の温度センサー８０では、保温時間と共に温度が上昇し２８℃〜５３℃まで上昇するが、５０℃近傍で温度の制御が行えることが判る。
【００１６】
【発明の効果】
本発明に係るデータ回収装置では、保温手段を付加して無線携帯端末の充電を行うことが出来、データ通信のアクセスを確実に行うことが出来る。
また、無線携帯端末に受信した時点から、無線携帯端末近傍を保温手段により保温する構成であり、少なくともデータ通信の際に、充電器を経て無線携帯端末に充電電流が供給されているため、たとえ、無線携帯端末の充電が少なくなっていても、データの送信を行うことが出来る。
さらに、極寒地用温度保持手段を付加することにより、冬季、寒冷地等に於いても充電可能な時間の延長を図ることが出来る等優れた効果を有する。
また、電源として、実施の形態に示すソーラパネルを使用すると、バッテリーの内部放電を補うことが出来る為、１年間充電不要とすることが出来る。
【図面の簡単な説明】
【図１】本発明の構成を示す概略説明図である。
【図２】本発明に係る動作フローを示す説明図である。
【図３】本発明に係るサーモスタットで高温域の温度制御を行う場合の容器の概略説明図である。
【図４】図４の本発明に係る実施例の温度変化を測定した説明図である。
【符号の説明】
１      データロガー
２      インターフェイス
３      無線携帯端末
４      電源供給手段
４０    ソーラパネル
４１    バッテリー
４２    充電器
４３    ソーラパネル
５  保温手段
５０    ヒータ
６  極寒地用温度保持手段
６０    ヒータ
６１    サーモスタット
１  容器
【図１】
2004186785.tif 000003
【図２】
2004186785.tif 000004
【図３】
2004186785.tif 000005
【図４】
2004186785.tif 000006